(57)【要約】【課題】  外部から制御部に入力した映像信号は制御部で周波数補正を施してから撮像部に伝送していたため、外部から入力した映像信号の高周波成分が撮像部で撮像した映像信号に混信を与えていた。【解決手段】  本発明の撮像部と制御部を有するテレビジョンカメラは、制御部に外部から映像信号を入力する入力部と、入力部に入力した映像信号に周波数補正を施す周波数補正部と、周波数補正部から出力した映像信号を撮像部に伝送する伝送部と、撮像部に制御部から伝送した映像信号と撮像部で撮像した映像信号とを切り換える切換部と、切換部から出力する信号を表示する表示部とを有することを特徴とする。【選択図】  図１
2006345013.tif 000002
【特許請求の範囲】
【請求項１】
撮像部と制御部を有するテレビジョンカメラにおいて、
前記制御部に外部から映像信号を入力する入力部と、該入力部に入力した映像信号に周波数補正を施す周波数補正部と、該周波数補正部から出力した映像信号を前記撮像部に伝送する伝送部と、前記撮像部に前記制御部から伝送した映像信号と前記撮像部で撮像した映像信号とを切り換える切換部と、該切換部から出力する信号を表示する表示部とを有することを特徴とするテレビジョンカメラ。
【請求項２】
請求項１記載のテレビジョンカメラにおいて、更に前記制御部に前記外部映像信号に周波数補正を施す第２の周波数補正部を有することを特徴とするテレビジョンカメラ。
【発明の詳細な説明】
【技術分野】
【０００１】
本発明は、テレビジョンカメラに関するもので、特に外部から入力する映像信号に周波数補正を施す構成に関するものである。
【背景技術】
【０００２】
従来、撮像部と制御部で構成したテレビジョンカメラにおいて、撮像部を操作するカメラマンは外部から制御部に入力する映像信号（以下、外部映像信号と呼ぶ）を自己が操作しているテレビジョンカメラのビューファインダに表示する場合がある。この場合、外部映像信号は、制御部から撮像部に伝送する際に伝送部の伝送特性により周波数特性が劣化するため、制御部で周波数補正を施してから撮像部に伝送していた。制御部から撮像部に映像信号を伝送する方式が、特許文献１に記載されている。
【特許文献１】特開２００４−３１２７６７号公報
【発明の開示】
【発明が解決しようとする課題】
【０００３】
外部から制御部に入力した映像信号は制御部で周波数補正を施してから撮像部に伝送していたため、外部から入力した映像信号の高周波成分が撮像部で撮像した映像信号に混信を与えていた。
【課題を解決するための手段】
【０００４】
本発明の撮像部と制御部を有するテレビジョンカメラは、制御部に外部から映像信号を入力する入力部と、入力部に入力した映像信号に周波数補正を施す周波数補正部と、周波数補正部から出力した映像信号を撮像部に伝送する伝送部と、撮像部に制御部から伝送した映像信号と撮像部で撮像した映像信号とを切り換える切換部と、切換部から出力する信号を表示する表示部とを有することを特徴とする。
【０００５】
また、上記のテレビジョンカメラは、更に前記制御部に前記外部映像信号に周波数補正を施す第２の周波数補正部を有することを特徴とする。
【発明の効果】
【０００６】
本発明によれば、外部から入力した映像信号が、撮像部で撮影した映像信号に与える影響を低減できる。
【発明を実施するための最良の形態】
【０００７】
本発明の一実施例を図１で説明する。図１は本発明の一実施例のテレビジョンカメラを示すブロック図である。
図１において、本発明のテレビジョンカメラは撮像部１とケーブル２と制御部３で構成している。１１は図示していない入射光を結像するためのレンズ部、１２はレンズ部１１で結像した光を光電変換する撮像素子、１３は撮像素子１２から出力された映像信号を所定のレベルに増幅することや輪郭強調等の処理を施す映像処理部、１４は制御部３に映像信号を送出するためのＩ／Ｆ（Interface回路）部、１７は制御部３から伝送されてくる外部映像信号の周波数特性を補正する周波数補正部、１６は映像処理部１３から出力する映像信号と周波数補正部１７から出力する映像信号を切り換える切換部、１５は切換部１６から出力する映像信号を表示する表示部、１８は撮像部１を制御するためのＣＰＵ（Central Processing Unit）、１９は制御部３と接続するための接栓、２１と２２と２３はケーブル２を構成している線材、３１は撮像部１から伝送されてくる映像信号を受信するＩ／Ｆ（Interface回路）部、３２は制御部３の外部に映像信号を出力するための映像出力部、３３は外部に映像信号を出力するための接栓、３４は外部から映像信号を入力するための接栓、３５は外部映像信号を増幅するための増幅部、３６は制御部３を制御するためのＣＰＵ（Central Processing Unit）、３８は撮像部１と接続するための接栓である。表示部１５は例えばビューファインダである。
【０００８】
次に本発明の一実施例の動作について説明する。
撮像部１の撮像素子１２はレンズ部１１で結像された入射光を光電変換して映像処理部１３に映像信号を出力する。映像処理部１３は映像信号のレベル増幅や輪郭強調等の処理を施し、Ｉ／Ｆ部１４に出力する。Ｉ／Ｆ部１４は入力された映像信号を制御部３に接栓１９を介して送出する。撮像部１から送出された映像信号はケーブル２の線材２３と制御部３の接栓３８を介してＩ／Ｆ部３１に入力される。Ｉ／Ｆ部３１は撮像部１から伝送されてくる映像信号を受信し、映像出力部３２に出力する。映像出力部３２は入力された映像信号を図示していない外部の表示器に表示可能な信号に変換し、接栓３３を介して映像信号を出力する。ＣＰＵ１８とＣＰＵ３６は接栓１９とケーブル２の線材２１と接栓３８を介して通信する。
【０００９】
一方、表示部１５に表示するために外部から入力する外部映像信号は接栓３４を介して増幅部３５に入力する。増幅部３５は外部映像信号を所定のレベルに増幅して、撮像部１の周波数補正部１７に接栓３８とケーブル２の線材２２と接栓１９を介して入力する。周波数補正部１７は入力された外部映像信号に周波数特性の補正を施し、切換部１６に外部映像信号を出力する。切換部１６はＣＰＵ１８の指示に従って、映像処理部１３から出力される映像信号または周波数補正部１７から出力される外部映像信号を選択して表示部１５に出力する。表示部１５は入力された映像信号を表示する。
【００１０】
このような構成にすることにより、外部映像信号が、撮像部で撮影した映像信号に与える影響を低減できる。
次に、本発明の他の一実施例を図２で説明する。図２は本発明の他の一実施例のテレビジョンカメラを示すブロック図である。
【００１１】
図２において、図１と同じ番号は同じ機能であるため、説明を省略する。図２の３７は外部映像信号の周波数特性を補正する周波数補正部である。制御部３に外部映像信号の周波数特性を補正する周波数補正部を設けることにより、ケーブル２の線材２２に減衰する周波数特性を前もって補正することができるため、撮像部１の周波数補正部１７の補正値を小さく設定することが可能となる。また、従来に比べ、外部映像信号が、撮像部で撮影した映像信号に与える影響も低減できる。
【００１２】
以上本発明について詳細に説明したが、本発明は、ここに記載されたテレビジョンカメラに限定されるものではなく、上記以外のテレビジョンカメラに広く適用することができることは言うまでもない。
【図面の簡単な説明】
【００１３】
【図１】本発明の一実施例のテレビジョンカメラを示すブロック図。
【図２】本発明の他の一実施例のテレビジョンカメラを示すブロック図。
【符号の説明】
【００１４】
１：撮像部、２：ケーブル、３：制御部、１１：レンズ部、１２：撮像素子、１３：映像処理部、１４，３１：Ｉ／Ｆ部、１５：表示部、１６：切換部、１７，３７：周波数補正部、１８，３６：ＣＰＵ、１９，３３，３４，３８：接栓、２１，２２，２３：線材、３２：映像出力部、３５：増幅部。
【図１】
2006345013.tif 000003
【図２】
2006345013.tif 000004